(57)【要約】【課題】  紐状のしおりが付属しない書籍において、簡便でかつ本を傷めないしおり機能を、書籍そのものに付与された書籍を提供することである。【解決手段】  本考案に係るしおり機能付き書籍１は、文庫本や新書判などのペーパーバックスタイプの書籍１において、表紙と目次と奥付きの部分を除いた本文中の各頁４に、小口部分に相当する側辺２に近接した部分を残した半円形の切込み３を側辺２のやや内側で上下の中央位置の１箇所あるいは上部と下部の２箇所あるいは上中下の３箇所に有する。切込み３に見開きの反対側の頁４ｂの側辺２を差し込むことにより、この差し込んだ頁４ｂがやや円弧状に盛り上がり突っ張ることにより書籍１を閉じた際に、その頁４ａの目印となり、しおりとして機能する。【選択図】        図１
0003123745.tif 000002
【実用新案登録請求の範囲】
【請求項１】
文庫本や新書判などのペーパーバックスタイプの書籍１において、表紙と見返しと目次と奥付きの部分を除いた本文中の各頁４に、小口部分に相当する側辺２に近接した部分を残した半円形の切込み３を、側辺２のやや内側で上下の中央位置の１箇所に有し、該切込み３に見開きの読みかけの頁４ａの反対側の頁４ｂの側辺２を差し込むことにより差し込んだ反対側の頁４ｂがやや円弧状に盛り上がり突っ張るようなることにより書籍１を閉じた際に読みかけの頁４ｂの目印となることを特徴とするしおり機能付き書籍１。
【請求項２】
当該形状の切込み３は上下の中央位置の１箇所に替えて側辺２のやや内側で上部と下部の２箇所あるいは上中下の３箇所に有することを特徴とする請求項１に記載のしおり機能付き書籍１。
【考案の詳細な説明】
【技術分野】
【０００１】
本考案は、しおり機能付き書籍に関する。すなわち、紐状のしおりのない書籍について、読書中に目的頁にしおりで目印をつけたい場合に、しおりを用意しなくても、しおり機能が当該書籍に付与されているため、直ちにしおりを利用できるようにされている書籍に関する。
【背景技術】
【０００２】
通常、書籍において読みかけの頁など再度開きたい頁に目印をするためには、書籍そのものに設置された紐状のしおりを利用することや、小紙片などで作られたしおりを利用することが多い。
【０００３】
しかし、ペーパーバックスなどの書籍の中には紐状のしおりが付属しないものも多い。また、小紙片などで作られたしおりも手元に無い場合もある。
【０００４】
その場合、ドッグイヤーと呼ばれるように頁の角部を折り曲げ犬の耳状に突出させるなどにしている。しかし、このドッグイヤーは本を傷め、見苦しくし、また、あまり目立たないという問題がある。
そこで、帳面や書籍において、見出しや付箋を帳面や書籍そのものに付属したものも考案されている（例えば、特許文献１、特許文献２、特許文献３、特許文献４参照。）。
【０００５】
しかし、特許文献１の切り離し可能な、ミシン目線を設けたものでは切り取る煩雑さに加え、紛失のため使用できなることが考えられる。特許文献２、特許文献３、特許文献４については、切り取る又は折返すなどを行っており、本を傷めてしまう。
【０００６】
【特許文献１】特開平９−３００８５４号公報
【特許文献２】実開平５−７２４７７号公報
【特許文献３】特開平９−７１０６５号公報
【特許文献４】特開２００５−１３５１号公報
【考案の開示】
【考案が解決しようとする課題】
【０００７】
本考案が解決しようとする課題は、紐状のしおりが付属しない書籍において、簡便でかつ本を傷めないしおり機能を、書籍そのものに付与した書籍を提供することである。
【課題を解決するための手段】
【０００８】
上記の課題を解決しようとする本考案の手段は、請求項１の手段では、文庫本や新書判などのペーパーバックスタイプの書籍１において、表紙と見返しと目次と奥付きの部分を除いた本文中の各頁４に、小口部分に相当する側辺２に近接した部分を残した半円形の切込み３を、側辺２のやや内側で上下の中央位置の１箇所に有し、該切込み３に見開きの読みかけの頁４ａの反対側の頁４ｂの側辺２を差し込むことにより、差し込んだ反対側の頁４ｂがやや円弧状に盛り上がり突っ張るようなることにより書籍１を閉じた際に読みかけの頁４ｂの目印となることを特徴とするしおり機能付き書籍１である。
【０００９】
請求項２の手段では、当該形状の切込み３は上下の中央位置の１箇所に替えて側辺２のやや内側で上部と下部の２箇所あるいは上中下の３箇所に有することを特徴とする請求項１の手段のしおり機能付き書籍１である。
【００１０】
上記の請求項１の手段あるいは請求項２の手段で、各頁４に設ける半円形の切込み３は印刷された文章６の文字の上に掛かってもよいが、各頁４に有する切込み３は使用の際に頁４の端に向けて破けないようにするために、その頁４の端である側辺２にあまり近くならないように配設するものとする。
【００１１】
長期間にわたり書籍１を閉じる場合、あるいは書籍１を鞄などに収納する場合のため、上記の切込み３を当該の頁４の外側に向けて折返し、切込み３の折返し片５の一部が書籍１の小口部分から飛び出すようにして、付箋のように使用することもできるように配設することもできる。
【考案の効果】
【００１２】
本考案の手段は、紐状のしおりが付属しない書籍１において、表紙と見返しと目次と奥付きの部分を除いた本文中の各頁４に、小口部分に相当する側辺２に近接した部分を残した半円形の切込み３を、上下の中央位置の１箇所に有することによって、該切込み３に見開きの読みかけの頁４ａの反対側の頁４ｂの側辺２を差し込むことにより、この差し込んだ頁４ｂがやや円弧状に盛り上がり突っ張るようなるため、書籍１を閉じた際に当該頁４ａの目印となる。読書を再開する際には、その盛り上がりを目印として簡単に当該頁４ａを開くことができる。
【００１３】
請求項２のように当該切込み３を側辺２の上部と下部の２箇所あるいは上中下の３箇所に有することとした場合、２箇所あるいは３箇所の該切込み３に見開きの反対側の頁４ｂの側辺２を差し込むことにより、差し込んだ際の当該頁４ｂの盛り上がりはより安定するものとなる。
【００１４】
本発明の手段は、従来の本のように、紐状や小紙片からなるしおりを不要とし、これらに比してコストも増えることはなく実施できる利点を有する。
【考案を実施するための最良の形態】
【００１５】
以下、本考案の実施の形態を添付図面を参照して説明する。図１は本考案に係るしおり機能付き書籍１の本文頁を開いた状態を示す図である。図２は本考案に係るしおり機能付き書籍を本文頁に目印をして閉じた状態を示す図である。図３は本考案に係る切込みを側辺の上中下の３箇所に設けた状態を示す図である。図４は本考案に係るしおり機能付き書籍の切込みを折返した状態を示す図である。
【００１６】
図１に示すように、本考案に係るしおり機能付き書籍１は、表紙と見返しと目次と奥付きの部分を除いた本文中の各頁４に、小口部分に相当する側辺２に近接した部分を残した半円形の切込み３を、側辺２の上下の中央位置の１箇所に有する。なお、図１において符号の７は書籍１の背の部分を示す。読書中にちょっと席を外すときに、読みかけの書籍１を、テーブルなどの上に置く場合に、本を閉じることなく席を立ちたい。そのような場合に、この切込み３に見開きの読みかけの頁４ａの反対側の頁４ｂの側辺２を、図２に示すように、差し込むことにより、この差し込んだ頁４ｂがやや円弧状に盛り上がり突っ張るようになり、当該の頁４の部分に空間があくため、書籍１を閉じた際に当該の読みかけの頁４ａの目印となる。そこで、所用を済まして席に戻った際に、読みかけの頁４ａを即座に開けて、続きを読み始めることができる。
【００１７】
また、図３に示すように、切込み３を当該頁４の側辺２の上部と中部と下部の３箇所に設けることで、反対側の頁４ｂの側辺２を、これらの３箇所の切込み３に差し込むことで、より一層にしっかりと固定されて外れにくくなり、差し込んだ頁４ｂが円弧状に盛り上がり突っ張るものとなる。
【００１８】
また、図４に示すように、切込み３を当該頁４の側辺２より外側に向けて折返すことにより、切込み３の折返し片５の一部が書籍１の小口部分から飛び出すようになるので付箋を付したように使用することもできる。しかし、この場合は切込み３の折返し片５を目印として小口から外に露出させるためには、切込み３を側辺２に近づける必要がある。しかし、近づけすぎると、切込み３が当該頁４から破けて千切れ易くなり、本を傷めることとなるので、折返し片５としての使用はあまり推薦するものではない。しかし、長期間にわたり書籍１を閉じる場合、あるいは鞄などに収納する場合に折返し片とすると便利なこともあるので、この場合は注意して使用するものとする。
【図面の簡単な説明】
【００１９】
【図１】本考案に係るしおり機能付き書籍の本文頁を開いた状態を示す図である。
【図２】本考案に係るしおり機能付き書籍を本文頁に目印をして閉じた状態を示す図である。
【図３】本考案に係るしおり機能付き書籍の切込みを側辺の上中下の三箇所に設けた状態を示す図である。
【図４】本考案に係るしおり機能付き書籍の切込みを折返した状態を示す図である。
【符号の説明】
【００２０】
１  書籍
２  側辺
３  切込み
４  頁
４ａ  読みかけの頁
４ｂ  反対側の頁
５  折返し片
６  文章
７  背
【図１】
0003123745.tif 000003
【図２】
0003123745.tif 000004
【図３】
0003123745.tif 000005
【図４】
0003123745.tif 000006